(57)【要約】【課題】  スプール４の左右両側がサイドケース２、３に支持され、ドラグレバー６の揺動操作によってドラグ力調整ができる摩擦ドラグ手段を備えてなる両軸受けリール１において、スプールがドラグ力に勝る引張り力を受けて強制回転するときには発音するが、ドラグフリーのときのスプール回転、並びにスプールの糸巻き回転のときには発音しないようにする。【解決手段】  摩擦ドラグ手段と発音手段とを、スプールフランジ部４ｃとハンドル５の操作で回転すると共にドラグレバーの操作で左右移動する支軸１２とのあいだに構成し、ドラグフリーの離間状態およびスプールと支軸とが一体回転するときには発音しないが、ドラグ作動時においてスプールが支軸に対して相対回転するときに発音ようにした。【選択図】        図２
0003103070.tif 000002
【実用新案登録請求の範囲】
【請求項１】
左右に設けられる一対のサイドケースと、該一対のサイドケースに軸支される支軸と、該支軸を回転させるためのハンドルと、前記支軸に回転自在に設けられるスプールと、該支軸およびスプールのあいだに設けられ、スプールにドラグ力を付与するための摩擦ドラグ手段と、該摩擦ドラグ手段のドラグ力を調整するため揺動自在に設けられるドラグレバーと、スプールの回転に連動して発音する発音手段とを備えて両軸受けリールを構成するにあたり、前記ドラグレバーは、該ドラグレバーの揺動に連動して支軸を軸心線方向に移動させるものとし、前記摩擦ドラグ手段は、該支軸の軸心方向の移動に伴い摩擦板と摩擦受板とが離接してドラグ力調整がなされるものとし、前記発音手段は、摩擦ドラグ手段に設けられ、摩擦板と摩擦受板とが離間したドラグフリーのときおよび支軸とスプールとが一体回動するときには発音しないが、前記ドラグフリー以外の状態で支軸に対してスプールが相対回動するとき発音するように構成されていることを特徴とする両軸受けリール。
【請求項２】
請求項１において、摩擦ドラグ手段は、スプールと、該スプールのフランジ部外面に設けた摩擦板と、該摩擦板の外面に対向するよう支軸に一体的に設けた摩擦受板とを備えて構成され、発音手段は、スプールのフランジ部外面に出没自在に設けられかつ突出方向に向けて付勢された発音体と、発音体と対向するよう摩擦受板の内面に設けられた複数の落し孔とを備えて構成されていることを特徴とする両軸受けリール。
【請求項３】
請求項１または２において、ドラグレバー操作に伴う支軸移動に連動してスプールが軸心線方向に移動するものであることを特徴とする両軸受けリール。
【請求項４】
請求項１、２または３において、摩擦ドラグ手段は、スプールの両フランジ部にそれぞれ形成され、発音手段は、ドラグレバーが設けられる側とは反対側のスプールフランジ部に形成されていることを特徴とする両軸受けリール。
【請求項５】
請求項２、３または４において、発音体は、スプールの糸巻き部から外径方向に延出するフランジ部基端部に設けられていることを特徴とする両軸受けリール。
【請求項６】
請求項１、２、３、４または５において、レバードラグが設けられる側のサイドケースの外径に対し、これとは反対側のサイドケースの外径は小径になっていることを特徴とする両軸受けリール。
【請求項７】
請求項６において、小径側サイドケースの内端縁に対して、該側スプールのフランジ部は大径側サイドケース側に膨出していることを特徴とする両軸受けリール。
【考案の詳細な説明】
【技術分野】
【０００１】
本考案は、例えばルアー釣りや船釣り等の魚釣りに使用される両軸受けリールの技術分野に属するものである。
【背景技術】
【０００２】
この種、両軸受けリールにおいては、一軸芯回りに揺動操作できるドラグレバーを設け、該ドラグレバーの位置によってドラグ力を調整し、実釣り時に魚の引張り力がドラグ力を越えた場合にスプールが滑りを生じて回転し、該スプールに巻装している糸（道糸）が出て行くようにした所謂ドラグレバー方式のものがある。そしてこのようなドラグレバー方式のものにおいて、ドラグ手段に滑りを生じてスプールが回転しているとき、クリック音等の音を発音させて釣り人に知らしめるようにしたものがある（例えば特許文献１、２）。ところがこれらのものでは、糸の繰り出し時や巻き取り時のように釣り人が意図的に行う操作時に発音させると耳障りとなる場合があり、そこで切換えレバーを設け、該切換えレバーの操作によって発音しないように切換えることができるようにしている。
【特許文献１】実開平４−１００３８２号公報
【特許文献２】実開平５−７６２７５号公報
【考案の開示】
【考案が解決しようとする課題】
【０００３】
ところが前記従来のものは、発音状態−非発音状態の切換えをいちいち切換えレバーの操作で行わなければならないことになって面倒かつ煩雑であるばかりでなく、切換え忘れによりドラグ手段が滑っていることを気づかない場合があるなどの問題が残されており、ここに本考案の解決すべき課題がある。
【課題を解決するための手段】
【０００４】
本考案は、上記の如き実情に鑑みこれらの課題を解決することを目的として創作されたものであって、請求項１の考案は、左右に設けられる一対のサイドケースと、該一対のサイドケースに軸支される支軸と、該支軸を回転させるためのハンドルと、前記支軸に回転自在に設けられるスプールと、該支軸およびスプールのあいだに設けられ、スプールにドラグ力を付与するための摩擦ドラグ手段と、該摩擦ドラグ手段のドラグ力を調整するため揺動自在に設けられるドラグレバーと、スプールの回転に連動して発音する発音手段とを備えて両軸受けリールを構成するにあたり、前記ドラグレバーは、該ドラグレバーの揺動に連動して支軸を軸心線方向に移動させるものとし、前記摩擦ドラグ手段は、該支軸の軸心方向の移動に伴い摩擦板と摩擦受板とが離接してドラグ力調整がなされるものとし、前記発音手段は、摩擦ドラグ手段に設けられ、摩擦板と摩擦受板とが離間したドラグフリーのときおよび支軸とスプールとが一体回動するときには発音しないが、前記ドラグフリー以外の状態で支軸に対してスプールが相対回動するとき発音するように構成されていることを特徴とする両軸受けリールである。
請求項２の考案は、請求項１において、摩擦ドラグ手段は、スプールと、該スプールのフランジ部外面に設けた摩擦板と、該摩擦板の外面に対向するよう支軸に一体的に設けた摩擦受板とを備えて構成され、発音手段は、スプールのフランジ部外面に出没自在に設けられかつ突出方向に向けて付勢された発音体と、発音体と対向するよう摩擦受板の内面に設けられた複数の落し孔とを備えて構成されていることを特徴とする両軸受けリールである。
請求項３の考案は、請求項１または２において、ドラグレバー操作に伴う支軸移動に連動してスプールが軸心線方向に移動するものであることを特徴とする両軸受けリールである。
請求項４の考案は、請求項１、２または３において、摩擦ドラグ手段は、スプールの両フランジ部にそれぞれ形成され、発音手段は、ドラグレバーが設けられる側とは反対側のスプールフランジ部に形成されていることを特徴とする両軸受けリールである。
請求項５の考案は、請求項２、３または４において、発音体は、スプールの糸巻き部から外径方向に延出するフランジ部基端部に設けられていることを特徴とする両軸受けリールである。
請求項６の考案は、請求項１、２、３、４または５において、レバードラグが設けられる側のサイドケースの外径に対し、これとは反対側のサイドケースの外径は小径になっていることを特徴とする両軸受けリールである。
請求項７の考案は、請求項６において、小径側サイドケースの内端縁に対して、該側スプールのフランジ部は大径側サイドケース側に膨出していることを特徴とする両軸受けリールである。
【考案の効果】
【０００５】
請求項１の考案とすることにより、摩擦ドラグ手段を有したドラグレバー方式のものでありながら、面倒かつ煩雑な切換えレバーの切換え操作を何らしないでも、糸をスプールから繰り出すドラグフリーのときや、支軸とスプールとが一体回動する糸の巻き取る状態においては発音が無く、支軸に対してスプールが相対回動する場合にのみ発音するようにして、発音が耳障りとなることがないようにできる。
請求項２の考案とすることにより、発音手段が、摩擦ドラグ手段の摩擦作動部を有効に利用して構成することができ、構造の簡略化、部品点数の低減が図れる。
請求項３の考案とすることにより、スプール移動がドラグ力調整のための移動となって構造の簡略化をさらに計れることになる。
請求項４の考案とすることにより、摩擦ドラグ手段を左右に分散させて、ドラグ力の片効きを無くして左右均等で安定したドラグ力を付与できると共に、発音手段は、ドラグレバーがなく、スペースのある側に配してスペースの有効利用が計れることになる。
請求項５の考案とすることにより、発音体は、スプールの糸巻き部から外径方向に延出するフランジ部基端部の肉厚となるコーナー部位を利用して設けられることになって、強度低下をもたらすことを回避できる。
請求項６の考案とすることにより、ドラグレバーが設けられる側とは反対側のサイドケースが小径となって、大型の両軸受けリールであっても、該側の手でサイドケースを握ってのポンピング操作が容易となり、釣り易さが向上する。
請求項７の考案とすることにより、小径側サイドケースを握る手の指で、前記膨出するスプールを押えて制動を掛けることが容易となって、操作性に優れたものにできる。
【考案を実施するための最良の形態】
【０００６】
次ぎに、本考案の実施の形態について、図面に基づいて説明する。図面において、１は釣り用の両軸受リールのリール本体であって、該リール本体１は、左右のサイドケース２、３、該サイドケース２、３に回転自在に設けられる糸巻き用のスプール４、一方のサイドケース（本実施の形態では右側、以降、左右をこのように定義して説明するが、これに限定されるものでないことは勿論である）３にそれぞれ設けられる糸巻き用のハンドル５および後述するドラグ調整用のドラグレバー６等の各種部材装置を用いて構成されている。そしてこのものでは、左側サイドケース２の外径は、右側サイドケース３の外径よりも小径になっていて、使用者は、その左手で左側サイドフレーム２を包み込むようにして握って竿を上下するポンピング操作ができるようになっている。
【０００７】
前記右側のサイドケース３は、左側のサイドケース２とのあいだに前後一対の架橋フレーム７と下側の架橋フレーム８とによって一体化されたケース左側半部３ａと、該ケース左側（内側）半部３ａの外側に設けられるケース右側（外側）半部３ｂとを左右から突合せ状に組み付け、ネジ３ｅにより緊締することで一体化される構成になっているが、ケース右側半部３ｂに前記ハンドル５およびドラグレバー６が設けられている。
【０００８】
つまり前記ケース左側半部３ｂには、ケース右側半部３ａに対して外径方向に膨出する状態でしたギアケース部３ｃが形成され、該ギアケース部３ｃから左右方向外方に膨出形成される支持部３ｄにハンドル軸９が一方向（スプール４に糸を巻き取る方向）にのみ回転を許容するよう構成した軸受け９ａを介して回転自在に軸支され、該ハンドル軸９の基端に大径の第一ギア１０がギアケース部３ｃに内装される状態でハンドル軸９と一体回動するよう設けられ、ハンドル軸９の支持部３ｄから突出する外端にはハンドル５の基端部がネジ１１により止着されている。そしてハンドル５に設けた握り部５ａを把持してハンドル５を回転することで第一ギア１０が一体回動するようになっている。尚、３ｆはギアケース部３ｃの左側開口を塞ぐための塞ぎ板、１０ａは第一ギア１０をハンドル軸９に固定するためのビスである。
【０００９】
また、１２はスプール４が軸受け４ａ、４ｂを介して回転自在でかつ軸心線方向移動自在に支持される支軸であって、該支軸１２の一端（左端）部１２ａは、前記左側のサイドケース２に設けた軸受け１３を介して回転自在でかつ軸心線方向に移動自在に支持されている。支軸１２の他端（右端）側には前記第一ギア１０と常時噛合する小径の第二ギア１４ａが刻設されたギア部材１４が支軸１２と一体回動するよう支軸に面取り嵌合されるが軸心線方向には移動自在となるよう設けられており、さらに該ギア部材１４は、右端部が軸受け１５を介してケース左側半部３ｂに回転自在であるが左右方向への移動は禁止される状態で支持されている。そして支軸１２は、ハンドル５を前記一方向に回転することに連動して第一、第二ギア１０、１４ａの噛合により増速される状態でスプール４の糸巻き取り方向に向けて回転するようになっている。
【００１０】
前記スプール４は、外径方向に大径となった円盤状の左右フランジ部４ｃ、４ｄとそのあいだの小径の糸巻き部４ｅとにより構成されるが、フランジ部４ｃ、４ｄの各外面には摩擦ドラグ手段を構成する摩擦板１６、１７が止着される一方、支軸１２には、これら摩擦板１６、１７にそれぞれ左右方向外側から対向するよう摩擦受板１８、１９が一体的に設けられている。尚、本実施の形態では、左側の摩擦受板１８は面取り嵌合により支軸１２と一体回動し、かつ軸心線方向の移動は禁止された状態で設けたブラケット２０に止着され（２０ａはブラケット２０の止め輪である）ており、右側の摩擦受板１９は前記ギア部材１４の左端部にネジ１９ａによって止着された構成になっている。そして後述するようにドラグレバー６が最も手前側に位置している状態では、摩擦板１６、１７と摩擦受板１８、１９とは図２に示すように離間していて摩擦制動が働かず、この状態でスプール４は支軸１２に対して自由回動できる、つまりドラグフリーの状態になっている。
【００１１】
また、支軸１２の右端部は、ケース左側半部３ｂに形成の筒状のボス部３ｇに回転自在で、かつ軸心線方向移動自在に貫通支持されるが、前記ボス部３ｇの外周面には、ドラグレバー６の基端部である有底円筒状をしたボス筒部６ａの筒底部６ｂが一軸心（支軸１２の軸芯）周りに揺動自在に軸支されているが、該ボス筒部６ｂの内周面にはカム２１が設けられている。一方、ボス部３ｇの外周面には、左半部がボス筒部６ａに遊嵌状に内嵌し、右半部がボス筒部６ａから突出したカム受け部材２２がボス筒３ｇに面取り嵌合することで回り止め状に組み込まれている。さらに、カム受け部材２２と支軸１２とのあいだには軸受け２３が介設されていて、支軸１２のカム受け部材２２とのあいだの円滑な回動を許容するようになっている。さらに支軸１２の右端にはネジ孔１２ｂが刻設され、該ネジ孔１２ｂに前記カム受け部２２の左半部に嵌合する状態でドラグ力調整用の調整ネジ２４が螺入組み込みされている。
【００１２】
さらに軸受け４ａとブラケット２０とのあいだ、および軸受け４ｂとギア部材１４とのあいだには復帰弾機２５、２５ａが介装されていて、支軸１２を左方向に向けて弾圧して摩擦板１６、１７と摩擦受け板１８、１９が離間する方向に蓄勢している。また、前記カム受け部材２２の左半部側外周にはピン２２ａが突出しているが、該ピン２２ａは、支軸１２が復帰弾機２５、２５ａの付勢力を受けて左方に弾圧されることで、前記カム２１の右面に形成されるカム面２１ａに摺接している。前記カム面２１ａは、図５に示すように、ドラグレバー６を最も手前側に操作したとき最も低い位置Ａとなってピン２２ａと当接し、この低い位置Ａから急激に高くなりＢ、その後、緩傾斜Ｃ状態で高くなっている。そして前記ドラグレバー６を最も手前側に操作し最も低い位置Ａの状態では、支軸１２は復帰弾機２５、２５ａの付勢力を受けて軸心線方向左方に移動し、これによって摩擦板１６、１７と摩擦受け板１８、１９とは互いに離間してスプール４が自由回転するドラグフリー状態になっている。この状態から、ドラグレバー６を手先側に少し揺動すると、ピン２２ａがカム面２１ａの急傾斜位置Ｂを経て緩傾斜位置Ｃに当接することになり、これによって支軸１２は復帰弾機２５、２５ａの付勢力に抗する状態で右方向に移動することになって摩擦板１６、１７と摩擦受板１８、１９とがそれぞれ摺接して制動が発生することになる（図３参照）。この制動力は、ドラグレバー６を手先側に操作してピン２２ａがより高いカム面２１ａに当接するほど支軸１２が右方向に移動することになって強いものとなり、而してスプール４の支軸１２に対する相対回転に対してより強いドラグ力を与えるようになっている。そして、このドラグ力を与えた状態でハンドル５を前記糸巻き方向に回転すると、前記摩擦板１６、１７と摩擦受板１８、１９とが摩擦制動状態（当接状態）になって支軸１２とスプール４とが一体回転し、これによって糸がスプール４に巻き取られるが、この巻取り状態あるいは否巻取り状態において糸が強く引かれ、摩擦板１６、１７と摩擦受板１８、１９との摩擦制動力（ドラグ力）に勝ると、スプール４が支軸１２に対して空回り（相対回動）することになって支軸１２が回転停止し、あるいは糸巻き方向の回転をしているにもかかわらず、スプール４が糸巻きだし方向に回転してスプール４から糸が出て行くようになっている。
なお、調整ネジ２４を回すことで支軸１２を左右方向に任意に移動させることができ、これによってドラグ力の調整ができるようにもなっている。
【００１３】
前記スプール４の左側フランジの外側面には凹孔４ｆが刻設され、該凹孔４ｆに発音体２６が組み込まれている。つまり発音体２６は、凹孔４ｃに螺入する支持部材２７に左右方向出没自在（移動自在）に内嵌され、弾機２８の付勢力によって先端が支持部材２７から突出する方向に弾圧されている。一方、摩擦受板１８には、前記発音体２６が取り付けられる径位置に対応して所定間隔（角度）を存して落し穴１８ａが形成されている。そして前記ドラグフリーの状態においては発音体２６の先端が摩擦受板１８の板面と同じ位置か離間する位置に位置していて、スプール４が回転しても発音体２６は最突出状態のままに維持されて無音状態となるが、ドラグレバー６を手先側に操作してドラグ力が働く状態にすると、支軸１２が右方に移動することになって発音体２６は摩擦受板１８の板面または落し穴１８ａに当接した状態となり、この状態でスプール４が支軸１２に対して自由回転すると、発音体２６は弾機２８の付勢力を受ける状態で落し穴１８ａと板面とのあいだの出没動を繰り返すことになってクリック音が発生するようになっている。
【００１４】
叙述の如く構成された本考案の実施の形態において、両軸受けリール１は、ドラグレバー６を手先側に操作したドラグ作動状態でハンドル５を回すと、支軸１２、スプール４が一体回転することになって発音体２６と摩擦受板１８とは共回りするため無音状態での糸の巻取り作動をし、そしてこの糸巻き取り作動時、あるいは巻取り停止時に糸が強く引張られてドラグ力よりも大きい負荷が働くと、摩擦受板１８、１９と摩擦板１６、１７とが滑ることになってスプール４は支軸１２に対して糸が繰り出される方向に相対回動し、これによって、発音体２６と摩擦受板１８とは相対回動し、発音体２６は間欠的にやってくる落し穴１８ａに出没することになってクラック音が発生する。
【００１５】
また、ドラグレバー６を最も手前側に操作したドラグフリーの状態にした場合、摩擦受板１８、１９と摩擦板１６、１７とが離間しているため、スプール４が支軸１２に対して自由回転しても、発音体２６は突出状態のままに維持され、これによって発音することはない。
【００１６】
このように、本考案が実施された前記形態のものにおいては、摩擦ドラグ手段を備え、そのドラグ力調整をレバードラグ６の揺動操作で行うものでありながら、摩擦ドラグ手段を、糸の巻取り作動時には一体回動する支軸１２とスプール４とのあいだに設けて、ドラグ力作動時においては、スプール４と支軸１２とが一体回動することを利用して発音することがない一方、スプール４にドラグ力よりも大きい引張り力が働いた場合に、スプール４が支軸１２に対して糸巻きだし方向に相対回動することを利用して発音することになり、またドラグ力が働くことがなくスプール４の自由回転状態となるドラグフリーの状態では、摩擦受板１８、１９と摩擦板１６、１７とが離間状態になることを利用して発音しない構成となっており、この結果、構造簡単なものでありながら、使用者が意図して操作するドラグフリー状態（糸出し状態）と糸巻き状態のときには発音することがないので耳障りとなることがない一方、ドラグ力が働いている状態において強い引張力が働いてスプール４が前記ドラグ力に勝って強制回転する場合に発音することになって使用者にドラグ制動が負けている状態であることを知らしめることができる。そしてこのような発音が、従来の摩擦ドラグ方式を採用するもののように、発音−非発音状態を切換えるための切換えレバーの操作が不要になって操作性が向上し、切換え忘れによる不具合も解消できる。
【００１７】
しかもこのものでは、発音手段が、摩擦板１６が設けられるスプール４のフランジ部４ｃと、該摩擦板１６に対向する摩擦受板１８という摩擦ドラグ手段を構成する部材間に設けられていて、格別専用な取付け部材を必要としていないので、軽量コンパクト化の妨げになることがない。
【００１８】
またこのものでは、ドラグレバー６の操作をした場合に、支軸１２の左右方向の移動に連繋してスプール４が移動するが、このスプール移動がドラグ力調整のための移動となって利用されるため、さらなる構造の簡略化を計れることになる。
【００１９】
さらにまた摩擦ドラグ手段は、片側だけでも勿論よいが、このものではスプール４の両フランジ部４ｃ、４ｄにそれぞれ形成されていて、スプール４の左右両側でドラグ制動を働かせることになり、この結果、ドラグ力を左右に分散させて、ドラグ力の片効きを無くして左右均等で安定したドラグ力を付与できると共に、発音手段は、ドラグレバーがなく、スペースのある側に配されることになって、部材の分散配置が果たせ、スペースの有効利用が計れることになる。
【００２０】
また、発音手段を構成する発音体２６は、スプール４の糸巻き部４ｅから外径方向に延出するフランジ部４ｃの基端部の肉厚となるコーナー部位を有効に利用して設けられることになって、小型コンパクト化に寄与し、かつ強度低下をもたらすことも回避できる。
【００２１】
さらにこの両軸受けリール１は、ドラグレバー６が設けられる側とは反対側のサイドケース２が小径となっている結果、大型の両軸受けリール１とした場合であっても、該小径となっているサイドケース２側の手（左手）で該側のサイドケース２を握って竿を上下するポンピング操作が容易となり、一段と釣り易さが向上する。
【００２２】
またさらに、スプール４の小径側サイドケース２側のフランジ部４ｃの内端縁が、該サイドケース２の内端縁より内側に膨出している結果、サイドケース２を握る手の指で、前記膨出するスプール４のフランジ部４ｃの外周縁部を押えて操作するという人為的な制動掛け操作ができることになって、操作性に優れ、釣りの醍醐味をさらに堪能することができる。
【図面の簡単な説明】
【００２３】
【図１】両軸受けリールの全体斜視図である。
【図２】ドラグフリー状態の両軸受けリールの断面図である。
【図３】ドラグ力を付与した状態の両軸受けリールの要部断面図である。
【図４】摩擦受板の正面図である。
【図５】カム部の展開図である。
【符号の説明】
【００２４】
１    両軸受けリール
２、３  サイドケース
４    スプール
４ｃ、４ｄ  フランジ部
４ｅ  糸巻き部
５    ハンドル
６    ドラグレバー
１２    支軸
１６、１７  摩擦板
１８、１９  摩擦受板
１８ａ  落し穴
２６    発音体
【図１】
0003103070.tif 000003
【図２】
0003103070.tif 000004
【図３】
0003103070.tif 000005
【図４】
0003103070.tif 000006
【図５】
0003103070.tif 000007